(57)【特許請求の範囲】
【請求項１】
支柱と、連結部と、２本の脚桿と、上部桿体と、折畳み可能に設けられた載置フレームとを有する支持装置において、
前記支柱は、略中間の位置からやや後方に湾曲するように形成され、前記支柱の下部の前面に前記連結部を固定して前記連結部を介して前記載置フレームを回動自在に軸支した２本の脚桿と、前記支柱の下端部に支持脚ジョイントと、前記支柱の上部に弾性パッドを設けたギター支承体とを有し、
前記支持脚ジョイントは、ジョイント頭部と、直径を前記ジョイント頭部より広くした挿設部とを有し、
前記挿設部は、下端縁から上方に切り欠いてなる挿設溝によって断面をコの字状に形成され、前記挿設部の下端に対向する２つのネジ孔を有し、
前記挿設溝は、１本に外部ディバイダ部、他の１本に内部ディバイダ部を有する２本の後部支持脚を開閉自在に軸支し、
前記２本の後部支持脚は、展開されたとき、前記支柱とともに逆Ｙ字状を形成し、
前記ギター支承体は、前記上部桿体と嵌挿され、
前記上部桿体は、前記上部桿体の上端にギターのネックを保持するネック保持部を着脱自在に設けることを特徴とする支持装置。
【請求項２】
前記支持脚ジョイントは、前記挿設溝の上端内面に当接部を有し、
前記２本の後部支持脚は、前記外部ディバイダ部と前記内部ディバイダ部の外周の所望の位置にそれぞれ当接溝を有し、
前記２本の後部支持脚を展開したとき、前記当接部と前記当接溝とが当接することにより、前記２本の後部支持脚が前記支柱とともに形成する前記逆Ｙ字状を位置決めすることができることを特徴とする請求項１記載の支持装置。
【請求項３】
前記ギター支承体は、前記支柱に嵌挿する筒状本体と、前記筒状本体と一体に形成されるＴ字状ブロック部とを有し、前記筒状本体は、前記Ｔ字状ブロック部に対向する位置に下端縁部から切欠状のナット収納溝と、ナットのネジ孔に対応する位置にネジ孔と、外側からつまみ部を有する固定ボルトとを有し、前記Ｔ字状ブロック部は、前記Ｔ字状ブロック部の横方向に延伸する耳部に弾性パッドを有することを特徴とする請求項１又は２記載の支持装置。
【請求項４】
前記ネック保持部は、支持座と保持部とを有し、前記支持座は、前記支持座の底面から下方に突出して前記上部桿体に嵌挿する嵌挿部と、前記嵌挿部の上部に水平に延伸して溝部を形成した水平挟持壁と、前記水平挟持壁の一端縁から下方に延伸する垂直挟持壁とを有し、前記水平挟持壁は、前記垂直挟持壁を形成する一端に壁面の対向する位置にそれぞれ孔部を有し、前記保持部は、一端に平面を形成して前記平面に孔部を有する保持桿体と、前記保持桿体の他端に固定する固定座と、前記固定座に挿設された固定ブロックと、前記固定ブロックに挿設された一対のフック部とを有し、前記保持桿体は、前記溝部に設けられ、平面を形成した一端を固定部材で前記水平挟持壁の孔部に軸支し、前記固定座は、前記固定座の断面がコの字状に形成され、上下対応する孔部をそれぞれ有し、前記固定ブロックは、前記固定ブロックの上面に前記固定座の孔部に対応する孔部を有し、前記固定ブロックの内部を中空に形成し、前記固定ブロックの一端面に略８の字を水平にした形状で前記固定ブロックの中空部に連通する挿入孔を有し、前記フック部は、前記フック部の各一端を半円形に形成し、各他端に孔部を有し、前記挿入孔に挿設し、前記挿入孔の範囲内で水平方向に開閉動作を行う支点となる固定部材で軸支することを特徴とする請求項１乃至３いずれか一項記載の支持装置。
【請求項５】
前記ネック保持部は、略Ｔ字状に形成したジョイント頭部と、保持フレームとを有し、前記ジョイント頭部は前記上部桿体に嵌挿し、前記ジョイント頭部の一端にギターのネックを保持するネック保持部を回動自在に軸支することを特徴とする請求項１乃至４いずれか一項記載の支持装置。
【発明の詳細な説明】
【０００１】
【発明の属する技術分野】
本発明は、支持装置に係り、特にギターを支えるための支持装置に関する。
【０００２】
【従来の技術】
図１６に、従来の一例における支持装置の構成図を示す。図１６において、従来、支持装置におけるギターの支持フレームは、支柱１０と、Ｔ字状に組み合わせて用いる連結部２０と、２本の脚桿３０、４０と、２つの接続部材５０、６０と、２本の載置フレーム７０、８０とで構成されている。連結部２０は、支柱１０の適宜な位置に設けられ、かつ２本の脚桿３０、４０を前後、左右に自在に展開、収納できるように設けられている。脚桿３０、４０をそれぞれ展開することによってギターを支える支持装置として機能する。脚桿３０、４０の下端には接続部材５０、６０を用いて載置フレーム７０、８０が設けられており、載置フレーム７０、８０にギターを載せて支えることができる。
【０００３】
上述のギターの支持フレームは、折畳んで搬送する場合に便利であるのみならず、商品として包装し、出荷する場合にも包装に便利である。また、折畳んだ状態では、体積が縮小するので、運送のコストを低減することができる。また、支持フレームを使用する場合、ギターを支持フレーム上に置くだけよく、単純な動作でギターを支持することができる。但し、ギターが支持フレーム上に支持される場合は、ギターの共鳴胴の底面が２本の載置フレーム７０、８０上にあり、胴の背面が支柱１０の上部に設けられた弾性パッドに当接してフレームにもたれかかった状態となっている。
【０００４】
【発明が解決しようとする課題】
しかしながら、上記支持装置は、他の物質がギターにぶつかるなど外部からの衝撃を受けた場合、容易にギターが倒れてしまい、ギターの損傷を招いてしまう。従って、従来の支持装置は、ギターの支持が不安定であり、使用上の安全性に欠けるという問題点があった。
【０００５】
よって、本発明は、上記の問題点を解決し、確実かつ安定した状態でギターを支持することができ、また一時的に立て掛けるだけでなく、長期間ギターを支持することのできる支持装置を提供することを目的とする。
【０００６】
【課題を解決するための手段】
請求項１に記載の発明によれば、支柱と、連結部と、２本の脚桿と、上部桿体と、折畳み可能に設けられた載置フレームとを有する支持装置において、前記支柱は、略中間の位置からやや後方に湾曲するように形成され、前記支柱の下部の前面に前記連結部を固定して前記連結部を介して前記載置フレームを回動自在に軸支した２本の脚桿と、前記支柱の下端部に支持脚ジョイントと、前記支柱の上部に弾性パッドを設けたギター支承体とを有し、前記支持脚ジョイントは、ジョイント頭部と、直径を前記ジョイント頭部より広くした挿設部とを有し、前記挿設部は、下端縁から上方に切り欠いてなる挿設溝によって断面をコの字状に形成され、前記挿設部の下端に対向する２つのネジ孔を有し、前記挿設溝は、前記脚部桿の１つに外部ディバイダ部、前記脚部桿の他の１本に内部ディバイダ部を有する２本の後部支持脚を開閉自在に軸支し、前記ギター支承体は、前記上部桿体と嵌挿され、前記上部桿体は、前記上部桿体の上端にギターのネックを保持するネック保持部を着脱自在に設けることにより、確実かつ安定した状態でギターを支持することができ、また一時的に立て掛けるだけでなく、長期間ギターを支持することができる。また、上部桿体はネック保持部を着脱自在に設けられているため、支持装置を折畳んで収納、もしくは搬送することができ、体積を縮小して取り扱いの効率を向上させることができる。
【０００７】
請求項２に記載の発明によれば、請求項１において、前記支持脚ジョイントは、前記挿設溝の上端内面に当接部を有し、前記後部支持脚は、前記外部ディバイダ部と前記内部ディバイダ部の外周の所望の位置にそれぞれ当接溝を有し、前記後部支持脚を展開したとき、前記当接部と前記当接溝とが当接することにより、後部支持脚を所定の位置に決定することができるため、確実かつ安定した状態でギターを支持することができる。
【０００８】
請求項３に記載の発明によれば、請求項１又は２において、前記ギター支承体は、前記支柱に嵌挿する筒状本体と、前記筒状本体と一体に形成されるＴ字状ブロック部とを有し、前記筒状本体は、前記Ｔ字状ブロック部に対向する位置に下端縁部から切欠状のナット収納溝と、ナットのネジ孔に対応する位置にネジ孔と、外側からつまみ部を有する固定ボルトとを有し、前記Ｔ字状ブロック部は、前記Ｔ字状ブロック部の横方向に延伸する耳部に弾性パッドを有することにより、ギターの胴を確実かつ安定した状態で支持し、一時的に立て掛けるだけでなく、長期間ギターを支持することができる。
【０００９】
請求項４に記載の発明によれば、請求項１乃至３において、前記ネック保持部は、支持座と保持部とを有し、前記支持座は、前記支持座の底面から下方に突出して前記上部桿体に嵌挿する嵌挿部と、前記嵌挿部の上部に水平に延伸して溝部を形成した水平挟持壁と、前記水平挟持壁の一端縁から下方に延伸する垂直挟持壁とを有し、前記水平挟持壁は、前記垂直挟持壁を形成する一端に壁面の対向する位置にそれぞれ孔部を有し、前記保持部は、一端に平面を形成して前記平面に孔部を有する保持桿体と、前記保持桿体の他端に固定する固定座と、前記固定座に挿設された固定ブロックと、前記固定ブロックに挿設された一対のフック部とを有し、前記保持桿体は、前記溝部に設けられ、平面を形成した一端を固定部材で前記水平挟持壁の孔部に軸支し、前記固定座は、前記固定座の断面がコの字状に形成され、上下対応する孔部をそれぞれ有し、前記固定ブロックは、前記固定ブロックの上面に前記固定座の孔部に対応する孔部を有し、前記固定ブロックの内部を中空に形成し、前記固定ブロックの一端面に略８の字を水平にした形状で前記固定ブロックの中空部に連通する挿入孔を有し、前記フック部は、前記フック部の各一端を半円形に形成し、各他端に孔部を有し、前記挿入孔に挿設し、前記挿入孔の範囲内で水平方向に開閉動作を行う支点となる固定部材で軸支することにより、ギターのネックを確実かつ安定した状態で支持し、一時的に立て掛けるだけでなく、長期間ギターを支持することができる。
【００１０】
請求項５に記載の発明によれば、請求項１乃至４において、ネック保持部は、略Ｔ字状に形成したジョイント頭部と、保持フレームとを有し、前記ジョイント頭部は前記上部桿体に嵌挿し、前記ジョイント頭部の一端にギターのネックを保持するネック保持部を回動自在に軸支することにより、ギターの胴を確実かつ安定した状態で支持し、一時的に立て掛けるだけでなく、長期間ギターを支持することができる。また、支持装置を折畳んで収納することができ、体積を縮小して取り扱いの効率を向上させることができる。
【００１１】
【発明の実施の形態】
図１に、本発明の第１実施例における支持措置の斜視図を示す。図１において、支持装置におけるギターの支持フレームは、支柱１と、連結部２と、２本の脚桿４、６と、上部桿体７と、折畳み可能に設けられた載置フレーム５、６とで構成されている。支柱１は略中間の位置からやや後方に湾曲してなる管体である。支柱１の下半部の前面には、連結部２が固定され、連結部２により載置フレーム５、６が接続されている。載置フレーム５、６には、回動自在に軸支した２本の脚桿４、６が設けられている。
【００１２】
図２に、本発明の第１実施例における支持装置の下部分解図を示す。図２において、支柱１は中空の管体であり、略中間の位置からやや後方に湾曲してなり、ギターの支持フレームの主要な支持部となる桿体である。また、図３に、本発明の第１実施例における支柱の下部分解図を示す。図３において、支柱１の下端に三角形の凹溝１０１がプレス加工などの方式によって形成されている。支柱１の下端部には、支持脚ジョイント１４を挿設されている。
【００１３】
支持脚ジョイント１４は、ジョイント頭部１４１と、直径をジョイント頭部１４１より広くした挿設部１４３とで構成されている。ジョイント頭部１４１には上端縁から下方に延伸する位置決め溝１４２が形成されている。支柱１をジョイント頭部１４１に挿設する場合、支柱１に形成した三角形の凹溝１０１がジョイント頭部１４１の位置決め溝１４２内に当接して、支柱１の方向が位置決めされる。また、凹溝１０１と位置決め溝１４２の当接によって、支柱１がジョイント頭部１４１から抜けにくくなる。挿設部１４３は、下端縁から上方に切り欠いてなる挿設溝１４４によって断面をコの字状に形成し、下端に対向する２つのネジ孔１４６を穿設する。
【００１４】
図４は、本発明の第１実施例における支持脚ジョイントを示す図である。図４において、支持脚ジョイント１４では、挿設溝１４４の上端面に突出するように当接部１４５が形成されている。また、図３に示すように、挿設溝１４４には２本の後部支持脚１５、１６が接合される。後部支持１５、１６は、それぞれ脚部桿１５１、１６１に外部ディバイダ部１５２と、内部ディバイダ部１６２とを嵌着してなる。外部ディバイダ部１５２と、内部ディバイダ部１６２とは、上端部を略円形状に形成され、円形の中心に対向する軸支孔１５５、１６５がそれぞれ穿設されている。また、外部ディバイダ部１５２の略円形状の上端部には内部ディバイダ部１６２を挿入するための挿入溝１５３を形成し、内部ディバイダ部１６２を外部ディバイダ部１５２の挿入溝１５３内に挿入する。さらに支持脚ジョイント１４の下端部の挿設溝１４４内に挿設してリベット１７によって外部ディバイダ部１５２と内部ディバイダ部１６２とを開閉自在に軸支する。これにより、２本の後部支持脚１５、１６を展開した場合、支柱１は２本の後部支持脚１５、１６とともに逆Ｙ字状を形成してギターの支持フレームを支持し、従来のＩ字状の支持構造に比べてさらに安定した支持を得ることができる。
【００１５】
また、外部ディバイダ部１５２と内部ディバイダ部１６２の外周の適宜な位置にそれぞれ当接溝１５４、１６４を形成する。当接溝１５４、１６４は、後部支持脚１５、１６を展開した場合、支持脚ジョイント１４の挿設溝１４４を形成する上端内面に形成した当接部１４５が当接することによって後部支持脚１５、１６を位置決めすることができる。
【００１６】
また、図１、２に示すように、支柱１は、略中間の位置から適宜な角度で後方に湾曲し、該湾曲部の前面には断面がコの字状に形成され、一端にそれぞれ対応する軸支孔２１１が設けられた軸支座２１を溶着し、軸支座２１にＴ字状連結板２２を回動自在に軸支して、連結部２を構成する。また、支柱１の上端部を嵌挿端１１として、上部桿体７を嵌挿する。また、上端部には着脱自在にネック保持部８が設けられている。
【００１７】
図５は、本発明の第１実施例におけるギター支承体を示す図である。上部桿体７の下端部には、ギター支承体１２を挿設する。ギター支承体１２は、支柱１に嵌挿する筒状本体１２１と、筒状本体部１２１と一体に形成されるＴ字状のブロック部１２６とで構成されている。また、図６、７に、本発明の第１実施例におけるギター支承体の断面図を示す。図６、７において、ギター支承体１２の筒状本体１２１内壁のＴ字状のブロック部１２６に対向する位置に、下端縁部から切欠状のナット収納溝１２２を形成し、ナット１２３を収納した状態において、ナット１２３のネジ孔に対応する位置にネジ孔１２４を穿設し、外側からつまみ部を有する固定ボルト１２５を設ける。また、図５に示ように、Ｔ字状のブロック部１２６の横方向に延伸する耳部には弾性パッド１２７をそれぞれ挿設する。このようなギター支承体１２は、ギターの支持フレームにギター立て掛けてしばらくの間支持する場合、ギターの胴を支えることができる。
【００１８】
また、図２に示すように連結部２は、軸支座２１と、Ｔ字状連結板２２と、軸支ボルト２３とによって構成される。軸支座２１は金属材によってコの字状に形成され支柱１上に溶着されている。また、軸支座２１では、軸支座２１一端に対向する軸支孔２１１がそれぞれ穿設されている。Ｔ字状連結板２２は、水平部２４が下方に位置し、垂直部２５が上方に位置する逆Ｔ字状に設けられている。Ｔ字状連結板２２の垂直部２５の一端と、水平部２４の両端縁部にそれぞれ軸支孔２６が穿設されている。垂直部２５は軸支座２１に挿設して軸支ボルト２３により軸支される。また、水平部２４の両端縁部には、それぞれ脚桿３、４をボルト、もしくはリベットにより軸支される。脚桿３、４を展開した場合は、図１に示すように支柱１の２本の後部支持脚１５、１６、及び本実施例によるギターの支持フレームを支持することができる。また、脚桿３、４を閉じた場合、図８に示すように支持装置を折畳んだ状態にすることができる。
【００１９】
図２に示す該脚桿３、４は、中空の管体であり、それぞれ上端部から切欠状の挿設溝３２、４２と、軸支孔３３、４３を形成し、挿設溝３２、４２にＴ字状連結板２２の水平部２４の両端縁部を挿設してボルト、もしくはリベットで軸支する。また、脚桿３、４の下端部は外方向に若干湾曲するように形成されている。脚桿３、４を展開した場合、脚桿３、４の支持点が外方向に広がり、さらに安定した支持を得ることができる。また、脚桿３、４の下端縁には、軸支孔３４、４４がそれぞれ穿設され、リベット５３等で軸支される。これにより、載置フレーム５、６を回動自在に軸支することができる。
【００２０】
載置フレーム５、６は、軸支部５１、６１と、載置部５２、６２とで構成されている。軸支部５１、６１では、軸支孔を穿設した耳部５４、６４が上端に突起して形成されている。図８に示すように、ギターの支持フレーム全体を折畳んだ場合、載置フレーム５、６は固定部材５３を支点として上方に折畳まれる。
【００２１】
また、支柱１の嵌挿端１１に嵌挿される上部桿体７は、ギター支承体１２のつまみ部を有する固定ボルト１２５によって位置決めされる。また、上端縁部には着脱自在にネック保持部８が設けられている。
【００２２】
図９に、本発明の第１実施例における上部桿体の上端縁部の分解図を示す。図１０は、本発明の第１実施例における上部桿体の上端縁部の動作図である。ネック保持部８は、ギターのネックを保持するための部材であり、支持座８１と保持部８２とで構成される。支持座８１は硬質のプラスチック材料などによって成型されている。支持座８１は、底面から下方に突出して上部桿体７に嵌挿する嵌挿部８１１と、嵌挿部８１１の上部において水平に延伸して溝部を形成する水平挟持壁８１２と、挟持壁の一端縁から下方に延伸する垂直挟持壁８１３とで構成されている。水平挟持壁８１２の垂直挟持壁８１３を形成する一端には、壁面の対向する位置にそれぞれ孔部が穿設されている。
【００２３】
また、保持部８２は、桿体の一端に平面を形成し、かつ孔部を穿設した保持桿体８２１と、保持桿体の他端に固定する固定座８２２と、固定座８２２上に挿設する固定ブロック８２３と、固定ブロック８２３に挿設する一対のフック部８２６、８２７とで構成される。保持桿体８２１は、支持座８１の水平挟持壁８１２によって形成される溝内に設けられ、平面を形成した一端をリベットなどの固定部材で水平挟持壁８１２の一端縁部により軸支される。固定座８２２は、断面がコの字状に形成され、上下対応する孔部をそれぞれ穿設されている。固定ブロック８２３は硬質のプラスチック材料によって形成されている。固定ブロック８２３は、固定ブロック８２３の上面に固定座８２２の孔部に対応する孔部が穿設され、内部を中空に形成されている。また、固定ブロック８２３の一端面に略８の字を水平にした形状の挿入孔８２４、８２５が形成されている。挿入孔８２４、８２５は中空部に連通し、挿入孔８２４、８２５に一対のフック部８２６、８２７を挿入する。一対のフック部８２６、８２７には、それぞれ一端を半円形のフック部、他端に孔部が穿設されている。
【００２４】
固定部８２２と、固定ブロック８２３と、一対のフック部８２６、８２７を組み立てて保持部８２を構成する場合、固定ブロック８２３を固定部８２２に嵌挿し、上面の孔部からリベットなどの固定部材によって固定部８２２と、固定ブロック８２３と、一対のフック部８２６、８２７とを固定する。この場合、一対のフック部８２６、８２７は、図１０に示すように、固定部材を支点として、８の字状の挿入孔８２４、８２５の範囲内において水平方向に開閉の動作を行うことができる。よって、ギターのネックを一対のフック部８２６、８２７によって形成される環状の範囲内に保持することによってギターを支持する場合、安全性と安定性をさらに高めることができ、長期間ギターを支持することができる。
【００２５】
また、保持部８２は、ギターの支持フレームを折畳む場合、図８、１０に示すように、支持座８１の一端に設けるリベットなど支軸として後方に回転させて、上部桿体７に沿って垂直に収納することができる。従って、ギターの支持フレームを折畳んで収納、もしくは搬送する場合、体積を縮小して取り扱いの効率を向上させることができる。
【００２６】
図１１に、本発明の第２実施例における上部桿体の上端部の斜視図を示す。図１２に、本発明の第２実施例における上部桿体の上端部の分解図を示す。第２実施例の支持装置では、上部桿体の上端に着脱自在に設けられたネック保持部８’の構造が異なる以外は、すべて上記第１実施例と同様である。ネック保持部８’は、略Ｔ字状に形成したジョイント頭部８３と、保持フレーム８４とで構成されている。Ｔ字状に形成したジョイント頭部８３は、プラスチック材によって一体に成型され、垂直嵌挿部８３１と水平ヘッド部８３２とを具える。垂直嵌挿部８３１は下方に延伸し、上部桿体７に嵌挿する管体である。水平ヘッド部８３２では、断面が逆Ｕ字状に形成され、前端縁の適宜な位置にボルトを挿入する孔部が穿設されている。
【００２７】
また、水平ヘッド部８３の前端面には、左右両下端縁部に係止突起部８３３を形成し、外周表面に２本の平行する突起リブ８３４を形成する。２本の突起リブ８３４の間に形成される凹溝には、弾性挟持部材８３５を嵌挿する。突起リブ８３４と、弾性挟持部材８３５の作用は、水平ヘッド部８３４を補強するとともに、保持フレーム８４を水平ヘッド部８３４が挟持する場合の挟持力を補強することにある。水平ヘッド部８３２の水平方向の底端縁部は、前端縁と、後端縁とをそれぞれ円弧状の曲線を形成する前部円弧端縁８３７と、後部円弧端縁８３８とで形成されている。
【００２８】
また、水平ヘッド部８３２の上面の垂直嵌挿部８３１に対応する位置には嵌挿孔８３６が穿設されている。別途管体を嵌挿孔８３６に挿設することによってギターの支持フレーム全体の高さを調整することができる。例えば、嵌挿孔８３６にマイクロフォンなどのギター以外の物品を挿入することができ、使用性を向上させることができる。
【００２９】
また、保持フレーム８４は、一端に孔部を穿設した挿設桿体８４１と、一端に弾性係止体８４３を設けた略Ｕ字状の保持部本体８４２とによってなる。挿接桿体８４１はボルトで回動自在にジョイント頭部８’の水平ヘッド部８３４の前端部に軸支する。また、本発明の支持装置によりギターのネックを保持する場合、図１２に示すようにネック保持部８’の保持フレーム８４を水平状態にする。この場合、保持フレーム８４の挿接桿体８４１が水平ヘッド部８３４の前端面の左右両下端縁部に形成された係止突起部８３３によって支持されて展開した水平状態を保つ。弾性係止体８４３を垂直方向に回転させてギターのネックを保持部本体８４２内に保持して弾性係止体８４３を本来の位置に戻す。これにより、ギターのネック部を、安全で安定した状態で保持することができる。
【００３０】
また、ギターの支持フレームを折畳んで収納する場合、水平ヘッド部８３２の水平方向の底端縁部に形成した前部円弧端縁８３７と、後部円弧端縁８３８とに指を掛けて外方向に開いて係止突起部８３３の支持を解除し、保持フレーム８４を垂直方向に回転させて、図１２に示すように上部桿体７に沿った状態にする。
【００３１】
図１３に、本発明の第２実施例における支持装置の使用例の斜視図を示す。図１３は、支持装置によりギターを支えた状態を示している。図１４に、本発明の第２実施例における支持装置の使用例の側面図を示す。図１４は、ギターを支えた状態の側面図である。支持装置は、保持フレーム８４と弾性パッド１２７と載置フレーム５、６によりギターを支えている。図１５に、本発明の第２実施例における支持装置を折畳んだ状態の側面図を示す。図１５は、支持装置の上部桿体をギター支承体から取り外し、折り畳んで収納した状態を示している。図１５に示すように支持装置であるギターの支持フレームを搬送、収納する場合、体積を縮小にすることができ、利便性を向上させることができる。
【００３２】
【発明の効果】
本発明の指示装置によれば、確実かつ安定した状態でギターを支持することができ、また一時的に立て掛けるだけでなく、長期間ギターを支持することができる。また、支持装置を折畳んで収納、もしくは搬送することができ、体積を縮小して取り扱いの効率を向上させることができる。
【図面の簡単な説明】
【図１】本発明の第１実施例における支持措置の斜視図を示す。
【図２】本発明の第１実施例における支持装置の下部分解図を示す。
【図３】本発明の第１実施例における支柱の下部分解図を示す。
【図４】本発明の第１実施例における支持脚ジョイントを示す図である。
【図５】本発明の第１実施例におけるギター支承体を示す図である。
【図６】本発明の第１実施例におけるギター支承体の断面図を示す。
【図７】本発明の第１実施例におけるギター支承体の断面図を示す。
【図８】本発明の第１実施例における支持装置を折畳んだ状態の側面図である。
【図９】本発明の第１実施例における上部桿体の上端縁部の分解図を示す。
【図１０】本発明の第１実施例における上部桿体の上端縁部の動作図である。
【図１１】本発明の第２実施例における上部桿体の上端部の斜視図を示す。
【図１２】本発明の第２実施例における上部桿体の上端部の分解図を示す。
【図１３】本発明の第２実施例における支持装置の使用例の斜視図を示す。
【図１４】本発明の第２実施例における支持装置の使用例の側面図を示す。
【図１５】本発明の第２実施例における支持装置を折畳んだ状態の側面図を示す。
【図１６】従来の一例における支持装置の構成図を示す。
【符号の説明】
１、１０  支柱
１０１  凹溝
１１    嵌挿端
１２    ギター支承体
１２１  筒状本体
１２２  ナット収納溝
１２３  ナット
１２４、１４６  ネジ孔
１２５  固定ボルト
１２６  ブロック部
１２７  弾性パッド
１４    支持脚ジョイント
１４１  ジョイント頭部
１４２  位置決め溝
１４３  挿設部
１４５  当接部
１５１、１６１  脚部桿
１５２  外部ディバイダ部
１５３  挿入溝
１５４、１６４  当接溝
１５５、１６５  軸支孔
１５、１６      後部支持脚
１６２  内部ディバイダ部
１７    リベット
２、２０  連結部
２１    軸支座
２１１  軸支孔
２２    Ｔ字状連結板
２３    軸支ボルト
３、４、３０、４０  脚桿
３２、４２、１４４  挿設溝
５、６  載置フレーム
５０、６０  接続部材
５１、６１  軸支部
５２、６２  載置部
５３    固定部材
７      上部桿体
７０、８０  載置フレーム
８、８’  ネック保持部
８１    支持座
８１１  嵌挿部
８１２  水平挟持壁
８１３  垂直挟持壁
８２    保持部
８２１  保持桿体
８２２  固定座
８２３  固定ブロック
８２４、８２５  挿入孔
８２６、８２７  フック部
８３    ジョイント頭部
８３１  垂直嵌挿部
８３２  水平ヘッド部
８３３  係止突起部
８３４  突起リブ
８３５  弾性挟持部材
８３６  嵌挿孔
８３７  前部円弧端縁
８３８  後部円弧端縁
８４    保持フレーム
８４１  挿設桿体
８４２  保持部本体
８４３  弾性係止体
【図１】
0003652265.tif 000002
【図２】
0003652265.tif 000003
【図３】
0003652265.tif 000004
【図４】
0003652265.tif 000005
【図５】
0003652265.tif 000006
【図６】
0003652265.tif 000007
【図７】
0003652265.tif 000008
【図８】
0003652265.tif 000009
【図９】
0003652265.tif 000010
【図１０】
0003652265.tif 000011
【図１１】
0003652265.tif 000012
【図１２】
0003652265.tif 000013
【図１３】
0003652265.tif 000014
【図１４】
0003652265.tif 000015
【図１５】
0003652265.tif 000016
【図１６】
0003652265.tif 000017